(57)【要約】【課題】物体の画像を取り込んで、その画像とともに物体に関する情報を表示すること。【解決手段】本発明は、撮像エリア内の画像を取り込むとともに、その撮像エリア内の対象物Ｓから送信される識別信号を取り込む入力手段１と、入力手段１で取り込んだ識別信号に基づき撮像エリア内の対象物Ｓに関する情報を取得する情報取得手段２と、入力手段１によって取り込んだ画像とともに情報取得手段２によって取得した対象物Ｓに関する情報を表示する表示手段４とを備える情報処理装置である。【選択図】図１
2006059292.tif 000002
【特許請求の範囲】
【請求項１】
撮像エリア内の画像を取り込むとともに、その撮像エリア内の物体から送信される識別信号を取り込む入力手段と、
前記入力手段で取り込んだ前記識別信号に基づき前記撮像エリア内の物体に関する情報を取得する情報取得手段と、
前記入力手段によって取り込んだ画像とともに前記情報取得手段によって取得した前記物体に関する情報を表示する表示手段と
を備えることを特徴とする情報処理装置。
【請求項２】
前記入力手段で取り込んだ識別情報の送信元となる物体の前記撮像エリア内での位置を検出する位置検出手段を備えており、
前記表示手段は、前記画像に関する情報を前記位置検出手段で検出した位置と対応させて表示する
ことを特徴とする請求項１記載の情報処理装置。
【請求項３】
前記物体に対して前記識別信号の送信を要求する信号発信手段を備えている
ことを特徴とする請求項１記載の情報処理装置。
【請求項４】
前記情報取得手段は、ネットワークを介して外部のサーバに前記画像に関する情報の要求を行う
ことを特徴とする請求項１記載の情報処理装置。
【請求項５】
撮像エリア内の画像を取り込むとともに、その撮像エリア内の物体から送信される識別信号を取り込む入力手段と、
前記入力手段で取り込んだ前記識別信号に基づき、前記物体の前記撮像エリア内での位置を検出する位置検出手段と、
前記物体の画像とともに前記位置検出手段で検出した位置をマーカで示す表示手段と
を備えることを特徴とする情報処理装置。
【請求項６】
前記物体に対して前記識別信号の送信を要求する信号発信手段を備えている
ことを特徴とする請求項５記載の情報処理装置。
【請求項７】
撮像エリア内の画像を取り込むとともに、その撮像エリア内の物体から送信される識別信号を取り込む工程と、
取り込んだ前記識別信号に基づき前記撮像エリア内の物体に関する情報を取得する工程と、
取り込んだ前記画像とともに前記情報取得手段によって取得した前記物体に関する情報をディスプレイに表示する工程と
を有することを特徴とする情報処理方法。
【請求項８】
前記識別情報の送信元となる物体の前記撮像エリア内での位置を検出し、前記画像に関する情報を、検出した前記位置と対応させて前記ディスプレイに表示する
ことを特徴とする請求項７記載の情報処理方法。
【請求項９】
前記物体に対して前記識別信号の送信を要求する工程を含む
ことを特徴とする請求項７記載の情報処理方法。
【請求項１０】
前記画像に関する情報を取得するにあたり、ネットワークを介して外部のサーバに要求する
ことを特徴とする請求項７記載の情報処理方法。
【請求項１１】
撮像エリア内の画像を取り込むとともに、その撮像エリア内の物体から送信される識別信号を取り込む工程と、
取り込んだ前記識別信号に基づき、前記物体の前記撮像エリア内での位置を取得する工程と、
前記物体の画像とともに前記取得した位置を示すマーカをディスプレイに表示する工程と
を有することを特徴とする情報処理方法。
【請求項１２】
前記物体に対して前記識別信号の送信を要求する工程を含む
ことを特徴とする請求項１１記載の情報処理方法。
【発明の詳細な説明】
【技術分野】
【０００１】
本発明は、画像を取り込むことでその画像に関する情報をディスプレイ上に表示する処理を行う情報処理装置および情報処理方法に関する。
【背景技術】
【０００２】
例えば、傘を簡単に見つけるためや所有権を主張するため、自らの所有する傘にシールを貼ることが行われている。しかしながら、シールを貼っただけでは多数の傘の中から目的の傘を探すことは困難である。また、駐車場に停められている多数の車の中から自分の車を探すのも困難である。
【０００３】
ここで、簡単なシールでなく、非常に目立つ印を付ける事により対処する事は可能であるが、外観を損なうことになる。また、町を歩いているときに、本屋がどこにあるか知りたいとき、インターネットの検索サイトで情報を検索したり、案内掲示板を探して情報を得るようにするが、どちらも所望の情報を得るまでに時間がかかったり、直接的に案内をしてくれず、探すのに苦労することになる。
【０００４】
従来の技術においては、取り込んだ画像から対象物を認識して、その対象物が目的のものか否かを判断する画像認識装置が提案されている（例えば、特許文献１参照。）。
【０００５】
【特許文献１】特開平１１−１４４０６１号公報
【発明の開示】
【発明が解決しようとする課題】
【０００６】
しかしながら、このような画像認識装置では、取り込んだ画像の中から目的となる対象物の画像を選別し、この画像が予め登録してある画像と合致するか否かを判断する必要があり、複雑な画像処理を伴うことになる。また、予め決められた画像のみしか認識の対象にならず、限られた画像認識しか行えないという問題がある。したがって、取り込んだ画像からユーザが望む情報を得るようにするため、このような画像認識技術を適用しても十分な対応を行うことができない。
【課題を解決するための手段】
【０００７】
本発明はこのような課題を解決するために成されたものである。すなわち、本発明は、撮像エリア内の画像を取り込むとともに、その撮像エリア内の物体から送信される識別信号を取り込む入力手段と、入力手段で取り込んだ識別信号に基づき撮像エリア内の物体に関する情報を取得する情報取得手段と、入力手段によって取り込んだ画像とともに情報取得手段によって取得した物体に関する情報を表示する表示手段とを備える情報処理装置である。
【０００８】
また、本発明は、撮像エリア内の画像を取り込むとともに、その撮像エリア内の物体から送信される識別信号を取り込む工程と、取り込んだ前記識別信号に基づき前記撮像エリア内の物体に関する情報を取得する工程と、取り込んだ前記画像とともに前記情報取得手段によって取得した前記物体に関する情報をディスプレイに表示する工程とを有する情報処理方法である。
【０００９】
このような本発明では、撮像エリア内の取り込み画像に対応する物体から送信される識別信号を入力手段で取り込み、この識別番号に基づいてその物体に関する情報を情報取得手段で取得して、取り込んだ画像とともにその物体に関する情報を表示手段に表示するため、ユーザは表示手段に写し出される物体の画像とその物体に関する情報とを参照することができる。つまり、ユーザは、所定の物体の画像を取り込み表示手段に写し出すことで、その物体に関する情報を即座に得ることが可能となる。
【００１０】
また、本発明は、撮像エリア内の画像を取り込むとともに、その撮像エリア内の物体から送信される識別信号を取り込む入力手段と、入力手段で取り込んだ識別信号に基づき、物体の撮像エリア内での位置を検出する位置検出手段と、物体の画像とともに位置検出手段で検出した位置をマーカで示す表示手段とを備える情報処理装置である。
【００１１】
また、本発明は、撮像エリア内の画像を取り込むとともに、その撮像エリア内の物体から送信される識別信号を取り込む工程と、取り込んだ識別信号に基づき、物体の撮像エリア内での位置を検出する工程と、物体の画像とともに検出した位置を示すマーカをディスプレイに表示する工程とを有する情報処理方法である。
【００１２】
このような本発明では、撮像エリア内の取り込み画像に対応する物体から送信される識別情報を入力手段で取り込み、この識別情報に基づいてその物体の撮像エリア内での位置を検出して、取り込んだ画像とともに物体の位置を示すマーカをディスプレイに表示するため、ユーザはディスプレイに写し出される物体の位置をマーカで認識できるようになる。
【発明の効果】
【００１３】
したがって、本発明によれば次のような効果がある。すなわち、従来、そこにある物はある物としてその外観を画像表示するしかなかったものが、物体の外観画像とともにその写し出した物体に関する情報も得られるようになり、見た目の情報以外の情報も取得することが可能となる。これにより、実際に目視できるもの以外の情報も表示して利用することが可能となり、例えば数多くの中から目的のものを探したり、画像に写し出される物体に関する詳細な情報を得ることが可能となる。
【発明を実施するための最良の形態】
【００１４】
以下、本発明の実施の形態を図に基づき説明する。図１は、第１実施形態を説明する図で、（ａ）は情報処理装置のブロック図、（ｂ）は画面表示例である。すなわち、この情報処理装置は、対象物Ｓの画像を取り込むとともに、その対象物Ｓから送信される識別信号を取り込む入力手段１と、入力手段１で取り込んだ識別信号に基づき対象物Ｓに関する情報をデータベースＤから取得する情報取得手段２と、入力手段１で取り込んだ識別情報の送信元となる対象物Ｓの撮像エリア内での位置を検出する位置検出手段３と、情報取得手段２で取得した対象物Ｓに関する情報を、位置検出手段３で検出した位置と対応させて表示する表示手段４とを備えている。
【００１５】
入力手段１としては例えばＣＭＯＳセンサを用いており、対象物Ｓから送信される識別信号は例えば電磁波から成るパルス信号を用いている。これにより、入力手段１であるＣＯＭＳセンサで対象物Ｓの画像を取り込むとともに、ＣＭＯＳセンサの画素で識別信号を受けることができる。
【００１６】
情報取得手段２は、ＣＭＯＳセンサの画素で受けた識別信号に基づきその識別信号と対応する情報をデータベースＤから取得する。また、位置検出手段３は、ＣＭＯＳセンサにおけるどの画素で識別信号を取り込んだかによって撮像エリア内での識別信号の送信元すなわち対象物Ｓの位置を検出する。
【００１７】
表示手段４は例えば液晶ディスプレイから成り、情報取得手段２で取得した対象物Ｓに関する情報および位置検出手段３で検出した撮像エリア内での対象物Ｓの位置を所定のマーカＭで示す表示を行う。
【００１８】
このような情報処理装置によって、ユーザは対象物Ｓを撮像することで液晶ディスプレイから成る表示手段４に対象物Ｓの画像を表示した状態で、識別信号が送信される対象物Ｓに関する情報や位置を参照できるようになる。
【００１９】
具体的な使用例として、例えば傘を認識するシステムを以下に説明する。なお、傘以外の物体（車、家、絵画など）であっても使用可能である。先ず、傘に埋め込まれた電磁波発生装置から、ある特定の信号（識別信号）を発信する。信号の発信に関しては、連続した発信であっても、例えば、人が近づいた事を検知して発信したり、ユーザからの要求によって発信するなど特定のトリガーにより開始したり、一定の時間間隔によって発信するようにしてもよい。
【００２０】
次に、入力手段１であるＣＭＯＳセンサによりその電磁波（識別信号）と画像情報を読み取る。例えば、そのＣＭＯＳセンサは携帯カメラや、メガネなどに取り付けられている。次いで、入力手段１で取り込んだ電磁波から成る識別信号を情報取得手段２が受け取り、この識別信号と対応する傘の情報をデータベースＤから取り込む。図１（ｂ）に示す例では、「Ａさんの傘です。」という情報を取得している。
【００２１】
また、位置検出手段３は、入力手段１であるＣＭＯＳセンサの信号から、電磁波を取り込んだ画素の座標を特定し、その座標情報を表示手段４に送る。
【００２２】
そして、表示手段４は、取り込んだ傘の画像情報と、取得した傘の情報と、位置検出手段３から送られてきた座標情報とを同時に液晶ディスプレイなど投影できるものに表示する。すなわち、現在取り込んでいる傘の画像に、識別信号（電磁波）を発生している傘の位置を示す矢印等のマーカＭを表示するととともに、識別信号から得たその傘の情報（「Ａさんの傘です。」）をマーカＭの近傍に表示する。これにより、ユーザは液晶ディスプレイを参照して、電磁波を発生している傘の位置と、その傘の情報とを参照でき、目的の傘を簡便に探すことができるようになる。
【００２３】
図２は、本実施形態の情報処理方法を具体的に説明するフローチャートである。先ず、物体（例えば、傘）に設けられた電磁波発生装置によって識別情報（ＩＤ情報）をパルス信号により発信する（ステップＳ１）。次に、その物体の画像をＣＭＯＳイメージセンサにより取り込むとともに、物体から発信されるパルス信号を複数回読み取る。これにより、物体の画像とともにパルス信号を読み取った画素の位置も記憶する。また、必要に応じてパルス信号を読み取るために、パルス信号が発生している画素領域を複数回切り出して読み込む（ステップＳ２）。これにより、撮像エリア全体を複数回読み込む場合に比べてパルス信号を的確かつ短時間に捉えることが可能となる。
【００２４】
次に、ＣＭＯＳイメージセンサによって取り込んだパルス信号からＩＤ情報を認識し、必要に応じてデータベースからそのＩＤ情報に対応した情報を取得する（ステップＳ３）。その後、パルス信号を取り込んだ位置情報を踏まえて、物体の画像情報とともにＩＤ情報に対応する物体の情報をディスプレイに表示する（ステップＳ４）。
【００２５】
このような処理によって、ディスプレイには撮影した物体の画像とともに、その物体に関する情報を表示でき、ユーザは特定の物体の位置や詳細な情報をディスプレイ上で参照できるようになる。
【００２６】
図３は、第２実施形態を説明する図で、（ａ）は情報処理装置のブロック図、（ｂ）は画面表示例である。この情報処理装置は、対象物Ｓの画像および対象物Ｓから送信される識別信号を取り込む入力手段１と、入力手段１で取り込んだ識別情報の送信元となる対象物Ｓの撮像エリア内での位置を検出する位置検出手段３と、入力手段１で取り込んだ画像および位置検出手段３で検出した位置をマークＭで示す表示を行う表示手段４とを備えている。
【００２７】
入力手段１としては例えばＣＭＯＳセンサを用いており、対象物Ｓから送信される識別信号は例えば電磁波を用いている。これにより、入力手段１であるＣＯＭＳセンサで対象物Ｓの画像を取り込むとともに、ＣＭＯＳセンサの画素で識別信号（電磁波）を受けることができる。
【００２８】
位置検出手段３は、ＣＭＯＳセンサにおけるどの画素で識別信号を取り込んだかによって撮像エリア内での識別信号の送信元すなわち対象物Ｓの位置を検出する。また、表示手段４は例えば液晶ディスプレイから成り、ＣＭＯＳセンサで取り込んだ画像および位置検出手段３で検出した撮像エリア内での対象物Ｓの位置を所定のマーカＭで示す表示を行う。
【００２９】
第２実施形態に係る情報処理装置は、第１実施形態と異なり情報取得手段を備えてないため簡素な構成となっているが、位置検出手段３によって対象物Ｓの撮像エリア内での位置をマーカＭで示すことができるため、目的の対象物Ｓがディスプレイ上のどこにあるかを容易に把握することができる。
【００３０】
例えば、傘立てに多数の傘が収納されており、その中から自らの所有する傘を探し出す例では、先ず、傘に埋め込まれた電磁波発生装置から、ある特定の信号（識別信号）を発信し、その識別信号をＣＭＯＳセンサから成る入力手段１で読み取る。次いで、位置検出手段３によってＣＭＯＳセンサの電磁波を取り込んだ画素の座標を特定し、その座標情報を表示手段４に送る。表示手段４は、取り込んだ傘の画像情報と、位置検出手段３から送られてきた座標情報とを同時に液晶ディスプレイなど投影できるものに表示する。
【００３１】
すなわち、現在取り込んでいる傘の画像に、識別信号（電磁波）を発生している傘の位置を示す矢印等のマーカＭが表示され、これにより、ユーザは液晶ディスプレイを参照して、電磁波を発生している傘の位置を把握して、簡便に自らの傘を探すことができるようになる。
【００３２】
なお、この際、複数の傘（対象物）から識別信号が送信されている場合には、予め登録してある識別信号と同じ識別信号のみを抽出し、その識別信号の発信元となる撮像エリア上の位置にマーカＭを表示すればよい。
【００３３】
また、対象物Ｓから発信される信号に関しては、連続した発信であっても、例えば、人が近づいた事を検知して発信したり、ユーザからの要求によって発信するなど特定のトリガーにより開始したり、一定の時間間隔によって発信するようにしてもよい。
【００３４】
図４は、第３実施形態を説明する図で、（ａ）は情報処理装置のブロック図、（ｂ）は画面表示例である。この情報処理装置は、対象物Ｓの画像および対象物Ｓから送信される識別信号を取り込む入力手段１と、入力手段１で取り込んだ識別信号に基づき対象物Ｓに関する情報をデータベースＤから取得する情報取得手段２と、入力手段１で取り込んだ画像および情報取得手段２で取得した対象物Ｓに関する情報を表示を行う表示手段４とを備えている。
【００３５】
入力手段１としては例えばＣＭＯＳセンサを用いており、対象物Ｓから送信される識別信号は例えば電磁波を用いている。これにより、入力手段１であるＣＯＭＳセンサで対象物Ｓの画像を取り込むとともに、ＣＭＯＳセンサの画素で識別信号（電磁波）を受けることができる。
【００３６】
情報取得手段２は、ＣＭＯＳセンサの画素で受けた識別信号に基づきその識別信号と対応する情報をデータベースＤから取得する。また、表示手段４は例えば液晶ディスプレイから成り、ＣＭＯＳセンサで取り込んだ画像および位置検出手段３で検出した撮像エリア内での対象物Ｓの位置を所定のマーカＭで示す表示を行う。
【００３７】
第３実施形態に係る情報処理装置は、第１実施形態と異なり位置検出手段を備えてないため簡素な構成となっているが、情報取得手段２によって対象物Ｓから発信される識別情報に基づき、対象物Ｓに関する情報をデータベースＤから取得して、表示手段４に表示できるため、目的の対象物Ｓをディスプレイに写し出すことで、その対象物Ｓに関する情報も参照できるようになる。
【００３８】
例えば、美術館等で絵画をＣＭＯＳセンサで写し出すことにより、その絵画の額縁等に埋め込まれた電磁波発生装置からある特定の信号（識別信号）を発信し、その識別信号をＣＭＯＳセンサから成る入力手段１で読み取る。次いで、情報取得手段２によってその識別信号と対応する絵画の情報をデータベースＤから読み出し、表示手段４に送る。表示手段４は、取り込んだ絵画の画像と、情報取得手段２から送られてきた絵画に関する情報とを同時に液晶ディスプレイなど投影できるものに表示する。
【００３９】
すなわち、現在取り込んでいる絵画の画像をディスプレイに写し出すことで、その絵画の画像に合わせて説明文等が表示され、ユーザはその絵画に関する説明文等の情報をディスプレイで参照できるようになる。
【００４０】
なお、画像を取り込む際、入力手段１によって複数の識別信号を受信した場合には、例えば撮像エリア上の予め定めた領域（例えば、中心領域）で受信した識別信号のみを用いて情報を取得すればよい。
【００４１】
また、対象物Ｓからの信号の発信に関しては、連続した発信であっても、例えば、人が近づいた事を検知して発信したり、ユーザからの要求によって発信するなど特定のトリガーにより開始したり、一定の時間間隔によって発信するようにしてもよい。
【００４２】
さらに、上記第３実施形態では位置検出手段を備えていないが、識別信号として対象物Ｓの位置情報（緯度、経度等の情報）を含めたものを送信し、情報処理装置側において入力手段１で取り込んでいる画像の位置情報を把握できる手段（ＧＰＳ：Global Positioning System等）が設けられているものであれば、各々の位置情報を用いて表示手段４で対象物Ｓの位置を示すことが可能となる。
【００４３】
図５は、本実施形態に係る情報処理装置において発信回路を備えた場合の処理の流れを示す図である。先ず、情報処理装置に設けられた発信回路５から、物体（例えば、傘）に向けて識別信号を発信させるための命令を送る（ステップＳ１０）。この命令を物体に設けられた受信回路（図示せず）が受けることで、物体に設けられた電磁波発生装置から識別信号をパルス信号により発信する（ステップＳ１１）。
【００４４】
次に、その物体の画像をＣＭＯＳイメージセンサにより取り込むとともに、物体から発信されるパルス信号を複数回読み取る。また、位置検出手段を備えている場合には、パルス信号を読み取った画素の位置も記憶する（ステップＳ１２）。ここで、必要に応じてパルス信号を読み取るために、パルス信号が発生している画素領域を複数回切り出して読み込む。これにより、撮像エリア全体を複数回読み込む場合に比べてパルス信号を的確かつ短時間に捉えることが可能となる。
【００４５】
次に、ＣＭＯＳイメージセンサによって取り込んだパルス信号からＩＤ情報を認識し、必要に応じてデータベースからそのＩＤ情報に対応した情報を取得する（ステップＳ１３）。その後、必要に応じてパルス信号を取り込んだ位置情報を踏まえて、物体の画像情報とともにＩＤ情報に対応する物体の情報をディスプレイに表示する（ステップＳ１４）。
【００４６】
このような処理によって、発信回路５から出力される命令をトリガーとして物体から識別信号を発信でき、必要な場合のみ物体の識別信号を用いた情報の提供を行うことが可能となる。なお、ここで説明した発信回路５は情報処理装置側に設けられている例を示したが、物体側に設けた赤外線センサなど、人が近づいた時に物体から識別信号を発信するようにしてもよい。
【００４７】
図６は、本実施形態に係る情報処理装置において外部サーバとのアクセス回路を備えた場合の処理の流れを示す図である。先ず、情報処理装置に設けられた発信回路５から、物体（例えば、絵画）に向けて識別信号を発信させるための命令を送る（ステップＳ２０）。この命令を物体に設けられた受信回路（図示せず）が受けることで、物体に設けられた電磁波発生装置から識別信号をパルス信号により発信する（ステップＳ２１）。
【００４８】
次に、その物体の画像をＣＭＯＳイメージセンサにより取り込むとともに、物体から発信されるパルス信号を複数回読み取る。また、位置検出手段を備えている場合には、パルス信号を読み取った画素の位置も記憶する（ステップＳ２２）。ここで、必要に応じてパルス信号を読み取るために、パルス信号が発生している画素領域を複数回切り出して読み込む。これにより、撮像エリア全体を複数回読み込む場合に比べてパルス信号を的確かつ短時間に捉えることが可能となる。
【００４９】
次に、ＣＭＯＳイメージセンサによって取り込んだパルス信号からＩＤ情報を認識し（ステップＳ２３）、送受信回路６を介して外部のコンピュータサーバＣに対してＩＤ情報に対応した情報を取得するためのアクセスを行う（ステップＳ２４）。その後、必要に応じてパルス信号を取り込んだ位置情報を踏まえて、物体の画像情報とともにＩＤ情報に対応する物体の情報をユーザが分かりやすい形式でディスプレイに表示する（ステップＳ２５〜Ｓ２６）。
【００５０】
このような処理によって、物体から発信される識別信号を読み込んで、その識別信号に対応した物体の情報を外部のコンピュータサーバＣにアクセスして取得することができ、多種多様な情報をディスプレイに表示できるようになる。
【００５１】
図７は、外部のコンピュータサーバを用いた具体的な使用例を説明する図である。ここでは、街頭の映像を写し出すことでユーザの所望する情報をディスプレイに表示する例を示しており、具体的には建物の中にある書店を探す場合を例としている。ユーザは予め情報処理装置に対して書店の情報を検索する旨の指示を与えておく。また、建物からは所定の電磁波発生装置から識別信号（パルス信号）が発信されているものとする（ステップＳ３１）。
【００５２】
この状態で建物の映像をＣＭＯＳイメージセンサにより取り込むとともに、建物から発信されるパルス信号を複数回読み取る。また、位置検出手段を備えている場合には、パルス信号を読み取った画素の位置も記憶する（ステップＳ３２）。ここで、必要に応じてパルス信号を読み取るために、パルス信号が発生している画素領域を複数回切り出して読み込む。これにより、撮像エリア全体を複数回読み込む場合に比べてパルス信号を的確かつ短時間に捉えることが可能となる。
【００５３】
次に、ＣＭＯＳイメージセンサによって取り込んだパルス信号からＩＤ情報を認識し（ステップＳ３３）、送受信回路６を介して外部のコンピュータサーバＣに対してＩＤ情報に対応した情報を取得するためのアクセスを行う（ステップＳ３４）。ここでは所定の情報を検索する指示が与えられているため、コンピュータサーバＣからＩＤ情報に対応した書店の情報を検索し、これをコンピュータサーバＣから取得する。
【００５４】
その後、パルス信号を取り込んだ位置情報を踏まえて、建物の画像情報とともにＩＤ情報に対応する所望の情報をユーザが分かりやすい形式でディスプレイに表示する（ステップＳ２５〜Ｓ２６）。ここでは、ディスプレイに建物の映像を写し出すとともに、パルス信号を発信している建物の位置にマーカＭを示し、その建物に入っている書店の名称（「○×書店」）やビルの名称（「△ビル」）、階数（「５Ｆ」）を表示している。
【００５５】
このような処理によって、建物から発信される識別信号を読み込んで、その識別信号に対応した情報のうちユーザが必要とするものを外部のコンピュータサーバＣにアクセスして取得し、ディスプレイにその場所を示すマーカＭとともに示すことで、ユーザは写し出されている映像のどの建物の何階に書店が入っているかを認識できるようになる。
【００５６】
なお、上記のように外部のコンピュータサーバＣとアクセスすることで情報を提供するシステムでは、コンピュータサーバＣにアクセスして所定の情報を提供するたびにユーザに対する課金を行うようにしてもよい。
【００５７】
また、ユーザの所望する情報のみならず、写し出した映像とともに取り込んだ識別信号に基づき擬似的な看板を作成してディスプレイに表示することも可能である。このようなシステムは、デジタルカメラや携帯電話、ＰＤＡ（Personal Digital Assistant）に組み込むほか、メガネ形式のものに組み込むことで、映像とともに様々な情報をユーザに提供することが可能となる。
【図面の簡単な説明】
【００５８】
【図１】第１実施形態を説明する図である。
【図２】本実施形態の情報処理方法を具体的に説明するフローチャートである。
【図３】第２実施形態を説明する図である。
【図４】第３実施形態を説明する図である。
【図５】本実施形態に係る情報処理装置において発信回路を備えた場合の処理の流れを示す図である。
【図６】本実施形態に係る情報処理装置において外部サーバとのアクセス回路を備えた場合の処理の流れを示す図である。
【図７】外部のコンピュータサーバを用いた具体的な使用例を説明する図である。
【符号の説明】
【００５９】
１…入力手段、２…情報取得手段、３…位置検出手段、４…表示手段、Ｃ…コンピュータサーバ、Ｄ…データベース、Ｓ…対象物
【図１】
2006059292.tif 000003
【図２】
2006059292.tif 000004
【図３】
2006059292.tif 000005
【図４】
2006059292.tif 000006
【図５】
2006059292.tif 000007
【図６】
2006059292.tif 000008
【図７】
2006059292.tif 000009